(57)【要約】【課題】際根太が安定していて倒れにくく、高さ調整も容易で、際根太材の繋ぎ目に撓みが生じることが無く、施工性と強度に優れた際根太及び二重床を開発する。【解決手段】受板部とこれに螺着された支持ボルトからなり、支持ボルトを回転することで受板部の高さを調整できる根太受具の、受板部上で根太材を支持する際根太において、根太材の接続部においては、支持ボルトがその支持する隣り合う根太材の少なくとも一方の根太材の幅の内側に位置せしめ、根太材の中間部においては、前記支持ボルトがその支持する根太材の幅の外側に位置せしめる。これにより、際根太が安定し、高さ調整も容易で、接続部の根太材の撓みも防止できる。【選択図】      図１
2007177392.tif 000002
【特許請求の範囲】
【請求項１】
受板部とこれに螺着された支持ボルトからなり、支持ボルトを回転することで前記受板部の高さを調整できる根太受具の、前記受板部上で根太材を支持する際根太において、
前記根太材の接続部においては、前記支持ボルトがその支持する隣り合う根太材の少なくとも一方の根太材の幅の内側に位置し、
前記根太材の中間部においては、前記支持ボルトがその支持する根太材の幅の外側に位置していることを特徴とする際根太。
【請求項２】
請求項１の際根太において、前記根太材を真っ直ぐに接続する接続部においては、前記支持ボルトがその支持する隣り合う両方の根太材の幅の内側に位置し、前記根太材を直角に接続する接続部においては、前記支持ボルトがその支持する隣り合う根太材の一方の根太材の幅の内側に位置すると共に、他方の根太材の幅の外側に位置していることを特徴とする際根太。
【請求項３】
壁際に設置した際根太の上に床材を貼設する二重床において、
前記際根太が、
根太材と、その繋ぎ目において両側の根太材の端部を支持する根太受具と、根太材の中間部を支持する根太受具とからなり、
前記根太受具は、受板部に形成された雌ねじを有する貫通孔に螺着された支持ボルトで受板部が高さ調整可能に支持されるものであり、
前記根太材の接続部においては、前記支持ボルトがその支持する隣り合う根太材の少なくとも一方の根太材の幅の内側に位置し、
前記根太材の中間部においては、前記支持ボルトがその支持する根太材の幅の外側に位置していることを特徴とする二重床。
【請求項４】
請求項３の二重床において、前記根太材を真っ直ぐに接続する接続部においては、前記支持ボルトがその支持する隣り合う両方の根太材の幅の内側に位置し、前記根太材を直角に接続する接続部においては、前記支持ボルトがその支持する隣り合う根太材の一方の根太の幅の内側に位置すると共に、他方の根太材の幅の外側に位置していることを特徴とする二重床。
【発明の詳細な説明】
【技術分野】
【０００１】
本発明は、主に集合住宅のコンクリート等の躯体床の上に壁に沿って施工する際根太、及びこの際根太上に床材を貼設した二重床に関する。
【背景技術】
【０００２】
際根太を用いた二重床は、例えば下記の特許文献１に記載されている。二重床は、例えば、コンクリートなどの躯体床の上に高さ調整可能な根太を所定間隔で設置し、その上に上床材を貼付して施工される。根太のなかで、特に壁際に設置されるものを際根太という。壁際に際根太を設置し、床の中央部分は根太に代えて発泡ポリスチレン等の発泡プラスチックでなるベース材を施工し、これら際根太及びベース材の上に上床材を貼付する方法もある。
【０００３】
図１１は、従来から普通に用いられる際根太の例を示す平面図及び側面図である。これは、床の中央部分に用いる根太ユニットと同じ根太ユニット２０を壁際に並べて設置するものである。根太ユニット２０は根太材１０に所定間隔で貫通孔２１を開け、下面に雌ねじを有するボルト受５をビスなどで取り付け、これに支持ボルト８を螺着し、複数の支持ボルトで根太材１０を支持するものである（図１２）。支持ボルトを回転することで高さ調整をすることができる。
【特許文献１】特開平１０−２４５９６４号公報
【発明の開示】
【発明が解決しようとする課題】
【０００４】
上記のような従来の際根太施工には次のような問題点があった。
（い）根太材を製作する場合、根太に所定間隔で貫通孔を開けるのが煩雑で、作業に時間がかかる。
（ろ）遮音性を得るために壁Ｗと根太材２０の間に隙間をあける必要があり、施工中根太材２０が倒れやすく、非常に不安定で作業能率が悪い。
（は）根太材どうしに連続性がなく、根太材の繋ぎ目において両側の根太材端部の支持ボルトの高さ調整をしなければならないので、高さ調整する支持ボルトの数が多く、高さ調整に時間がかかる。
（に）根太材どうしに連続性がないため、根太材の繋ぎ目に荷重がかかったときに撓みやすく、当該部分の上床にきしみが生じやすい。
【０００５】
本発明は、際根太が安定していて倒れにくく、高さ調整も容易で、際根太材の繋ぎ目に撓みが生じることが無く、施工性と強度に優れた際根太及び二重床を開発することを課題とする。
【課題を解決するための手段】
【０００６】
本発明は、受板部とこれに螺着された支持ボルトからなり、支持ボルトを回転することで前記受板部の高さを調整できる根太受具の、前記受板部上で根太材を支持する際根太において、前記根太材の接続部においては、前記支持ボルトがその支持する隣り合う根太材の少なくとも一方の根太材の幅の内側に位置し、前記根太材の中間部においては、前記支持ボルトがその支持する根太材の幅の外側に位置していることを特徴とする際根太である。
【０００７】
また本発明は、壁際に設置した際根太の上に床材を貼設する二重床において、前記際根太が、根太材と、その繋ぎ目において両側の根太材の端部を支持する根太受具と、根太材の中間部を支持する根太受具とからなり、前記根太受具は、受板部に形成された雌ねじを有する貫通孔に螺着された支持ボルトで受板部が高さ調整可能に支持されるものであり、前記根太材の接続部においては、前記支持ボルトがその支持する隣り合う根太材の少なくとも一方の根太材の幅の内側に位置し、前記根太材の中間部においては、前記支持ボルトがその支持する根太材の幅の外側に位置していることを特徴とする二重床である。
【０００８】
本発明の際根太または二重床において、根太材を真っ直ぐに接続する接続部においては、支持ボルトがその支持する隣り合う両方の根太材の幅の内側に位置する。根太材を直角に接続する接続部においては、支持ボルトを、その支持する隣り合う根太の一方の根太材の幅の内側に位置させると共に、他方の根太材の幅の外側に位置させることが望ましい。このようにすることで、根太材を直角に接続する接続部における根太受具上の根太材のバランスが良く、安定したものとなる。
【発明の効果】
【０００９】
本発明の際根太及び二重床は、端部の根太受具の支持ボルトと中間部の根太受具２の支持ボルトとが一直線上にないので、施工中において際根太が安定して倒れにくく、二重床の施工を容易に行うことができる。隣り合う根太材の端部が１個の根太受具で支持されるので、１個の根太受具の高さ調整を行うことで両側の根太材端部の高さ調整ができ、高さ調整作業が容易となる。また、根太材の端部が根太受具で支持されるので、根太の端部が撓むことがなく、上床のきしみが防止され、強度のすぐれたものとなる。
【実施例】
【００１０】
以下、実施例に関する図面に基づいて本発明を詳細に説明する。図１は本発明の二重床における直線部の際根太の平面図及び側面図、図２は出隅部の際根太の平面図、図３は入隅部の際根太の平面図、図４は図１におけるＡ矢視図、図５は図１にけるＢ−Ｂ線断面図、図６は根太受具１の平面図、図７は根太受具１の側面図、図８は受板部３の底面図、図９は図８におけるＣ−Ｃ線断面図、図１０は実施例の二重床の略断面図である。
【００１１】
本発明の二重床における際根太は、図１〜３に示すように、端部用の根太受具１、中間部用の根太受具２及び根太材１０からなる。端部用の根太受具１は根太材１０の繋ぎ目において両側の根太材１０の端部を支持する（図４）。中間部の根太受具２は、根太材の中間部においてこれを支持する（図５）。
【００１２】
図６〜９に示すように、端部用の根太受具１は、受板部３及び支持ボルト８からなる。受板部３は、木製の受板４及びその背面にビス止めした円板状プラスチック製又は金属製のボルト受５からなる。受板４には貫通孔６が形成され、ボルト受５には雌ねじ７が形成されているので、受板部３は雌ねじを有する貫通孔を備える。支持ボルト８はプラスチック製又は金属製で、受板部３の貫通孔に挿入されて雌ねじ７に螺着されている。上面に溝９を有し、この溝を利用してドライバーでボルトを回転させ、高さ調整を行うことができる。また、下部にはゴム製の脚部８ａを有し、上床の振動が躯体床に伝わらないようになっている。受板部３の上面の支持ボルト８の両側が根太材支持領域３ａとなっており、この上に両側の根太材の端部が載せられて支持される。本実施例の場合、受板部３を受板４とボルト受５で構成したが、受板部３全体をプラスチックで一体成形することも可能である。
【００１３】
中間部用の根太受具２は、受板がやや小さく形成されている他は、前記の端部用の根太受具１と全く同じ構成となっている。受板部上面の支持ボルトの片側に根太材の中間部を載せ、これを支持する。なお、端部用と中間部用の根太受具を全く同じ形状とすることも可能である。
【００１４】
本発明の二重床において、際根太は壁Ｗの際の躯体床Ｆ上に設置される。図１に示すのは、壁Ｗが直線状となっている部分である。際根太は壁Ｗに沿って直線状に設置される。上床の振動を壁に伝えないため、根太材１０は壁Ｗから少し離して施工することが望ましい。壁Ｗと根太材１０の間には適宜ゴムパッキンを挟み込むことができる。端部用の根太受具１の支持ボルト８は両側の根太材１０の幅の内側、すなわち根太材１０の幅から外側にはみ出さない位置にあり、中間部用の根太受具２の支持ボルト８はその支持している根太材１０の幅の外側に位置している。このため、端部用の根太受具１の支持ボルトと中間部用の根太受具２の支持ボルトとが一直線上になく、施工中において際根太が倒れにくく、安定しており、二重床の施工を容易に行うことができる。端部用の根太受具１の支持ボルトの高さ調整は、両側の根太材１０の間からドライバーを差し込んで行うことができる。中間部用の根太受具２の支持ボルトの高さ調整は、根太の外側から行うことができる。
【００１５】
図２は出隅部で、際根太は壁Ｗに沿って直角状に設置される。出隅部の端部用の根太受具１ａ（他の根太受具１と同じものである）において、その支持ボルトは、一方の根太材１０ａの幅の内側に位置し、他方の根太材１０ｂの幅の外側に位置している。
【００１６】
図３は入隅部で、際根太は壁Ｗに沿って直角状に設置される。入隅部の端部用の根太受具１ａ（他の根太受具１と同じものである）において、その支持ボルトは、一方の根太材１０ａの幅の内側に位置し、他方の根太材１０ｂの幅の外側に位置している。
【００１７】
本発明の二重床は、本発明の際根太の上に上床を貼付して形成する。本発明の二重床において、際根太以外の上床支持部材（床の中央部分）は、従来の二重床と同様の構成とすることができる。例えば、前記従来例として掲げた図１２、１３のような高さ調整可能な支持ボルトで支持した根太ユニットを躯体床の中央部分に所定間隔で並べたものや、前記特許文献１に記載されている発泡プラスチックのベース材等を用いることができる。上床は、際根太及びその他の上床支持部材の上に貼付される。図１０に示すように、上床は通常ベースボード１１と仕上げ材１２からなり、ベースボードは合板やパーティクルボード、仕上げ材はフローリング、絨毯、畳等である。
【図面の簡単な説明】
【００１８】
【図１】直線部の際根太の平面図及び側面図である。
【図２】出隅部の際根太の平面図である。
【図３】入隅部の際根太の平面図である。
【図４】図１におけるＡ矢視図である。
【図５】図１にけるＢ−Ｂ線断面図である。
【図６】端部用根太受具１の平面図である。
【図７】端部用根太受具２の側面図である。
【図８】受板部３の底面図である。
【図９】図８におけるＣ−Ｃ線断面図である。
【図１０】実施例の二重床の略断面図である。
【図１１】従来の際根太の平面図及び側面図である。
【図１２】従来の際根太材の断面図である。
【符号の説明】
【００１９】
１  根太受具
２  根太受具
３  受板部
４  受板
５  ボルト受
６  貫通孔
７  雌ねじ
８  支持ボルト
９  溝
１０  根太材
１１  ベースボード
１２  仕上げ材
２０  根太ユニット
２１  貫通孔
【図１】
2007177392.tif 000003
【図２】
2007177392.tif 000004
【図３】
2007177392.tif 000005
【図４】
2007177392.tif 000006
【図５】
2007177392.tif 000007
【図６】
2007177392.tif 000008
【図７】
2007177392.tif 000009
【図８】
2007177392.tif 000010
【図９】
2007177392.tif 000011
【図１０】
2007177392.tif 000012
【図１１】
2007177392.tif 000013
【図１２】
2007177392.tif 000014